(57)【特許請求の範囲】
【請求項１】
吸収性物品の群であって、
トップシート（１１０５、１２０５、１４０５、１５０５）、バックシート（１１２５）、及び前記トップシートと前記バックシートとの間に配設された吸収性コア（１１３５）、並びに第１の物理的特徴部を有し、前記第１の物理的特徴部は、着用者のパンティー−身体間隙を少なくとも部分的に埋める、第１のサイズの第１の吸収性物品と、  トップシート、バックシート、及び吸収性コア、並びに第２の物理的特徴部を有し、前記第２の物理的特徴部は、着用者のパンティー−身体間隙を少なくとも部分的に埋める、第２のサイズの第２の吸収性物品と、を含み、
前記第１の物理的特徴部のそれぞれが高さを含み、かつ前記第２の物理的特徴部が高さを含み、前記第２の物理的特徴部の高さに対する前記第１の物理的特徴部の高さの比が、５：１〜１．５：１である、吸収性物品の群。
【請求項２】
トップシート、バックシート、及び吸収性コアを有する、第３のサイズの第３の吸収性物品を更に含み、前記第３の吸収性物品が、着用者のパンティー−身体間隙を少なくとも部分的に埋める物理的特徴部を含まない、請求項１に記載の吸収性物品の群。
【請求項３】
トップシート、バックシート、及び吸収性コアを有する、第３のサイズの第３の吸収性物品を更に含み、前記第３の吸収性物品が高さを有する第３の物理的特徴部を含み、前記第３の物理的特徴部は、着用者のパンティー−身体間隙を少なくとも部分的に埋め、前記第２の物理的特徴部の高さに対する前記第３の物理的特徴部の高さの比が、５：１〜４：１である、請求項１に記載の吸収性物品の群。
【請求項４】
前記第１の物理的特徴部及び前記第２の物理的特徴部のそれぞれが前記第１の吸収性物品又は前記第２の吸収性物品の長手方向に沿う長さを含み、前記第２の物理的特徴部の長さに対する前記第１の物理的特徴部の長さの比が、２．５：１〜１．２５：１である、請求項１〜３のいずれか一項に記載の吸収性物品の群。
【請求項５】
第３のサイズの第３の吸収性物品を更に含み、前記第３の吸収性物品が前記第３の吸収性物品の長手方向に沿う長さを有する第３の物理的特徴部を含み、前記第２の物理的特徴部に対する前記第３の物理的特徴部の長さの比が、１．５：１〜１：１である、請求項１に記載の吸収性物品の群。
【請求項６】
前記第１の物理的特徴部が前記第１の吸収性物品の長手方向に沿う長さ及び前記高さを含み、前記第１の物理的特徴部の高さに対する長さの比が、２５０：１〜２．５：１である、請求項１〜５のいずれか一項に記載の吸収性物品の群。
【請求項７】
前記第２の物理的特徴部が前記第２の吸収性物品の長手方向に沿う長さ及び前記高さを含み、前記第２の物理的特徴部の高さに対する長さの比が、２５：１〜３０：１である、請求項１〜６のいずれか一項に記載の吸収性物品の群。
【請求項８】
前記第１の物理的特徴部の長さ、幅及び高さから選択される第１の寸法が、前記第２の物理的特徴部の第１の寸法よりも大きく、前記第１の物理的特徴部の長さ、幅及び高さから選択された第２の寸法が、前記第２の物理的特徴部の第２の寸法よりも小さく、前記第１の寸法が前記第２の寸法と同一ではない、請求項１〜７のいずれか一項に記載の吸収性物品の群。
【発明の詳細な説明】
【技術分野】
【０００１】
本発明は、様々な体型に合わせて設計されている成人用吸収性物品の群、並びに、複数の吸収性物品を製造及び包装するための方法を目的とする。成人用吸収性物品は、一般に、尿、経血、又は他の膣排泄物などの身体排泄物に対処するように設計及び構成されている。例示的な成人用吸収性物品としては、生理用ナプキン（別名パッド）及びパンティーライナー及び失禁パッド、パンツ、並びにライナーが挙げられる。
【背景技術】
【０００２】
月経液及び尿は、異なる物理化学的な流体攻撃物理化学特性（例えば、粘度、流体動力学等）、量、及び吸収速度を有する。例えば、月経出血は通常２つのパターンからなる。第１のパターンは、「少量」出血であり、０．１〜２ｍＬ／時間の範囲でばらつきがある。第２のパターンは、「噴出」出血であり、２〜３ｍＬの範囲でばらつきがあるが、最大で５ｍＬになる場合がある。典型的な噴出量は、約０．５〜２ｍＬ／秒である。噴出出血は、膣内に溜まった経血の蓄積から生じることがあり、座位から立位への移行のような姿勢の変化時に身体の外に流出することがある。尿失禁に悩まされる消費者に関して、尿排泄は、２つの一般的なタイプ、即ち、腹圧性尿失禁（ＳＵＩ）及び切迫性尿失禁（ＵＵＩ）からなる。ＳＵＩは、咳、くしゃみ、笑う、かがむ等によって誘発される、膀胱に加えられる高圧によって引き起こされ、尿量はＵＵＩに付随する量より少ないが、流速は速くなり得る。ＵＵＩは、満杯の膀胱からの放出を生じさせるが、ＳＵＩに付随する流速よりも遅い流速となり得る。流体が身体に沿って移動するとき、又は流体が着用者の身体と成人用吸収性物品との間の境界面に閉じ込められたときに、広がりが生じる。この広がりは、着用者にとって不快となり得、不潔感及び不安定感につながる場合があり、又は厄介な漏れを引き起こす可能性がある。尿又は月経液の広がりを最小限に抑えることが望まれている。
【０００３】
望ましくは、成人用吸収性物品は、着用者の身体との接触を維持し、可能な限り密にぴったり合う必要がある。身体にぴったり合うそのような能力は、経血、尿などが広がるか、又は成人用吸収体の中にではなく着用者の身体に沿って移動する可能性を低減することによって、成人用吸収性物品の有効性を高めることができる。しかしながら、市販されている成人用吸収性物品は、長さの選択肢が２種類か３種類ある以外は、体形若しくは身体サイズ又は密なフィットに対処していない。入手可能な成人用吸収性物品は、一般に、製品の吸収レベル（例えば、ライトライナー、レギュラーパッド、ヘビーパッド）、特徴（例えば、ウィングあり又はウィングなし、標準長さ又は長い長さ、香り付き又は無香）、又は製品が使用されると予想される時間帯若しくは時間の長さ（例えば、夜用パッド）に基づいて設計され、販売されている。様々な着用者の身体に密にぴったり合う成人用吸収性物品が求められている。密にフィットして尿及び／又は月経液の広がりを低減又は排除する成人用吸収性物品が求められている。
【０００４】
女性の体形及び身体サイズは広範囲に及ぶが、入手可能な製品はこの多様性を反映していない。それどころか、今日入手可能な吸収性物品は、万能サイズ（又は更には１つのサイズで小さいサイズをカバーする）アプローチによるものである。更に、肥満度指数（ＢＭＩ）は、男性及び女性の両方に関して世界的に上昇している。米国だけでも、成人女性の１／３超が現在、肥満（ＢＭＩ＞３０）であると考えられている。この指数は、過去３０年にわたって大幅に変化しており、１９８０年には、米国の成人女性で肥満であるのはたったの約１６％であった。今日の吸収性物品は、（小柄な女性と比較して）より大柄な女性のための優れた保護をうまく提供できていない。成人用吸収性物品のメーカーによるこの問題に対する認識及び理解が不足している。したがって、皮膚と成人用吸収性物品との接触が改善されて広がりの発生を減少させるように、様々な体形のための成人用吸収性物品を開発することが求められている。着用者のために該着用者のＢＭＩに基づいて設計された成人用吸収性物品が求められている。そのようなカスタマイズされた成人用吸収性物品の利益を、不快感を起こさせない（例えば、ＢＭＩに基づいて女性を非難する又は恥ずかしい思いをさせることなく）分かりやすいやり方で（例えば、女性によってはＢＭＩの意味を理解していないか、又は自身のＢＭＩの数値を知らない場合がある）着用者に伝えることが求められている。
【発明の概要】
【発明が解決しようとする課題】
【０００５】
これら全てが本発明の目的であり、本発明の実施形態は、言及した種々の目的を組み合わせることができる。特定のある実施形態は、発明の全ての目的を具現化しうる（ただしそうである必要はない）。
【課題を解決するための手段】
【０００６】
本発明は、吸収性物の群を目的とする。例示的一実施形態によると、成人用吸収性物品は、トップシート、バックシート、及び吸収性コアを含み、吸収性物品は、着用者のパンティー−身体間隙を少なくとも部分的に埋める物理的特徴部を含み、着用者は、約２５超のＢＭＩを有する。
【図面の簡単な説明】
【０００７】
本開示の非限定的な実施形態の以下の説明文を添付図面と併せて参照することで、本開示の上記の特徴及び他の特徴並びに利点、並びにそれらを実現する方法がより明らかとなり、また本開示自体のより深い理解が得られるであろう。
【図１Ａ】ＢＭＩ及びパンティーサイズの関数としての汚れを示すチャートである。
【図１Ｂ】ＢＭＩ及びパンティーサイズの関数としての汚れを示すチャートである。
【図１Ｃ】ＢＭＩ及びパンティーサイズの関数としての汚れを示すチャートである。
【図２】異なるＢＭＩの代表的な女性の体形を示し、横断面Ｂ：Ｂは臀溝において決定される。
【図３】図２の平面Ｂ：Ｂにおける代表的な女性の形態学的測定であり、大腿部の間隔、矢状面に平行な大腿部の直径（大腿部長）、及び冠状面に平行な大腿部の直径（大腿部幅）を含んでいる。
【図４】ＢＭＩの関数としての、図２の平面Ｂ：Ｂにおける、平均の女性の形態学的形状を示す。
【図５】図２の平面Ｂ：Ｂにおける、対象ＢＭＩと大腿部の間隔との関係を示すチャートである。
【図６】図２の平面Ｂ：Ｂにおける、対象ＢＭＩと大腿部偏心との関係を示すチャートである。
【図７】大腿部と胴体との交差部における、ＢＭＩと大腿部間の間隔との関係を示すチャートである。
【図８Ａ】高ＢＭＩ値（例えば３５）に関する、大腿部内側１１００Ａ及び１１００Ｂが胴体１１２０及び臀溝と交差する位置において画定された、冠状面上の股部の開口面積の近似を示す。
【図８Ｂ】低ＢＭＩ値（例えば１５）に関する、大腿部内側が胴体及び臀溝と交差する位置において画定された、冠状面上の股部の開口面積の近似を示す。
【図９Ａ】ＢＭＩ  ３４の消費者が装着した、変形した婦人衛生パッドの平面図を示す。
【図９Ｂ】ＢＭＩ  ２４の消費者が装着した、変形した婦人衛生パッドの平面図を示す。
【図９Ｃ】未装着の変形していない婦人衛生パッドの平面図を示す。
【図１０Ａ】それぞれ矢状面から見た、２つの異なるＢＭＩの女性（例えばＢＭＩ  ２４及びＢＭＩ  ３４）の身体／パンティー境界面を示す。
【図１０Ｂ】それぞれ矢状面から見た、２つの異なるＢＭＩの女性（例えばＢＭＩ  ２４及びＢＭＩ  ３４）の身体／パンティー境界面を示す。
【図１１Ａ】それぞれ冠状面から見た、２つの異なるＢＭＩの女性（例えばＢＭＩ  ２４及びＢＭＩ  ３４）の身体／パンティー境界面を示す。
【図１１Ｂ】それぞれ冠状面から見た、２つの異なるＢＭＩの女性（例えばＢＭＩ  ２４及びＢＭＩ  ３４）の身体／パンティー境界面を示す。
【図１２Ａ】それぞれ図２の横断面Ｂ−Ｂから見た、２つの異なるＢＭＩの女性（例えばＢＭＩ  ２４及びＢＭＩ  ３４）の表面図形を示す。
【図１２Ｂ】それぞれ図２の横断面Ｂ−Ｂから見た、２つの異なるＢＭＩの女性（例えばＢＭＩ  ２４及びＢＭＩ  ３４）の表面図形を示す。
【図１３Ａ】パンティー−身体間隙高さが生じる確率及びその距離が、ＢＭＩが上昇するにつれてどのように増加するかを示す。
【図１３Ｂ】パンティー−身体間隙高さが生じる確率及びその距離が、ＢＭＩが上昇するにつれてどのように増加するかを示す。
【図１４Ａ】本発明の例示的な成人用吸収性物品群の平面図を示す。
【図１４Ｂ】図１４Ａの例示的な成人用吸収性物品群の斜視図を示す。
【図１５Ａ】パッドの形態の例示的な成人用吸収性物品を示す。
【図１５Ｂ】図１５Ａに示すパッドの上面視概略図である。
【図１５Ｃ】図１５Ｂの線１５Ｃ−１５Ｃにより切断した断面図である。
【図１６Ａ】物理的特徴部を含む成人用吸収性物品の更なる例示的実施形態である。
【図１６Ｂ】図１６Ａにおける線Ａ−Ａに沿った物品の断面図である。
【図１７Ａ】物理的特徴部を含む成人用吸収性物品の更なる例示的実施形態である。
【図１７Ｂ】図１７Ａにおける線Ａ−Ａに沿った物品の断面図である。
【図１８Ａ】物理的特徴部を含む成人用吸収性物品の更なる例示的実施形態である。
【図１８Ｂ】図１８Ａにおける線Ａ−Ａに沿った物品の断面図である。
【図１９Ａ】物理的特徴部を含む成人用吸収性物品の更なる例示的実施形態である。
【図１９Ｂ】図１９Ａにおける線Ａ−Ａに沿った物品の断面図である。
【図２０】各ＢＭＩクラスに存在し得る種々の具体的な体形を示す。
【発明を実施するための形態】
【０００８】
以下の文章は、本発明の数多くの異なる実施形態の幅広い説明を述べる。説明は、例示的なものにすぎないと解釈され、あらゆる可能な実施形態を記述するものではない。あらゆる可能な実施形態を記述することは不可能ではないにしても、実際的ではないことになるためである。本明細書に記載されるあらゆる特徴、特性、構成要素、組成物、成分、製品、工程、又は方法論は、削除することができ、本明細書に記載される他のいずれかの特徴、特性、構成要素、組成物、成分、製品、工程、若しくは方法論と組み合わせることができ、又は全体的若しくは部分的に置き換えることができることは理解されるであろう。最新の技術、又は本特許の出願日以降に開発された技術のいずれかを使用して、多数の代替の実施形態を実施することができるが、このような実施形態はやはり、本請求項の範囲内に含まれることになる。本明細書に引用した全ての刊行物及び特許は、参照することにより本明細書に組み込まれる。
【０００９】
また、「本明細書に使用されるとき、『＿』という用語は．．．を意味するようにここで定義される」という文又は類似の文を使用して本明細書において用語が明示的に定義されない限り、その単純又は通常の意味を超えて、明示的又は暗示的いずれかで、その用語の意味を制限する意図はまったくないことを理解されたく、更に、当該用語は、（請求項の言語を除き）本特許のいずれかの項に記載のいずれかの文に基づいて範囲を制限されると解釈されるべきではない。いずれの用語も、別段の記載がない限り、本発明に対して必要不可欠であることを意図しない。本特許の最後にある請求項に記載されているいずれかの用語が、ある単一の意味と一致した形で本特許内で言及されている限りにおいては、読み手を混乱させないように、単にわかりやすくする目的だけのためにそうしているのであって、暗示又はその他の方法によって、請求項の用語をその１つの意味に限定することは意図していない。最後に、「手段」という語及びいかなる構造の詳述もなしにある１つの機能を記載することによって請求要素を定義している場合を除き、いかなる請求要素の範囲も、米国特許法第１１２条（ｆ）項の適用に基づいて解釈されないものとする。
【００１０】
「群」とは、同様の物品構成（例えば、フラップのエラストマー材が［組成的に及び／又は構造的に］同じである、図形的要素が同じである）を有する異なるサイズの使い捨て物品を含むパッケージの表示を意味し、上記パッケージは、同じブランド及び／又は下位ブランドを有し、上記パッケージは、小売店の所与の領域内で互いに近接して配向されている。群は、顧客に、通常、異なる個々のパッケージがより大規模なラインアップの一部分であることを伝える類似のパッケージ要素（例えば、パッケージの材料種類、フィルム、紙、主要色、設計主題など）を有する製品ラインアップとして市場に出ている。群は、大抵同じブランドを有し、例えば、「Ｄｅｐｅｎｄ」は、同じ下位ブランドの、例えば、「ｆｏｒ  Ｗｏｍｅｎ  Ｕｎｄｅｒｗｅａｒ」を有する。異なる群は、「Ｄｅｐｅｎｄ」ブランド及び下位ブランドの「Ｓｉｌｈｏｕｅｔｔｅ  Ｆｏｒ  Ｗｏｍｅｎ」を有し得る。この「ｆｏｒ  Ｗｏｍｅｎ  Ｕｎｄｅｒｗｅａｒ」群と「Ｓｉｌｈｏｕｅｔｔｅ  Ｆｏｒ  Ｗｏｍｅｎ」群との違いは、側部フラップに異なるエラストマー材を含むことであり、「ｆｏｒ  Ｗｏｍｅｎ  Ｕｎｄｅｒｗｅａｒ」は、エラストマー材としてストランドを含み、「Ｓｉｌｈｏｕｅｔｔｅ  Ｆｏｒ  Ｗｏｍｅｎ」は、フィルム状エラストマー材を含む。更に、「ｆｏｒ  Ｗｏｍｅｎ  Ｕｎｄｅｒｗｅａｒ」は、濃い緑系フィルムバッグに、「Ｓｉｌｈｏｕｅｔｔｅ  Ｆｏｒ  Ｗｏｍｅｎ」は、濃いえび茶色の箱に包装されている点で、パッケージは明らかに異なる。
【００１１】
更に「群」に関して、同じブランド「Ｃｅｒｔａｉｎｔｙ」を有する２つの別個の「群」の他の例としては、１つのラインアップが、下位ブランド「Ｗｏｍｅｎ’ｓ  Ｕｎｄｅｒｗｅａｒ」を有する。別の群は、同じ「Ｃｅｒｔａｉｎｔｙ」ブランド及び下位ブランドの「Ｓｍｏｏｔｈ  Ｓｈａｐｅ  Ｂｒｉｅｆｓ  ｆｏｒ  Ｗｏｍｅｎ」を有し得る。この「Ｗｏｍｅｎ’ｓ  Ｕｎｄｅｒｗｅａｒ」群と「Ｓｍｏｏｔｈ  Ｓｈａｐｅ  Ｂｒｉｅｆｓ  ｆｏｒ  Ｗｏｍｅｎ」群との違いは、側部フラップに異なるエラストマー材を含み、「Ｗｏｍｅｎ’ｓ  Ｕｎｄｅｒｗｅａｒ」は、エラストマー材としてストランドを含み、「Ｓｍｏｏｔｈ  Ｓｈａｐｅ  Ｂｒｉｅｆｓ  ｆｏｒ  Ｗｏｍｅｎ」は、フィルム状エラストマー材を含む。更に、「Ｗｏｍｅｎ’ｓ  Ｕｎｄｅｒｗｅａｒ」は、濃い青色のフィルムバッグに、「Ｓｍｏｏｔｈ  Ｓｈａｐｅ  Ｂｒｉｅｆｓ  ｆｏｒ  Ｗｏｍｅｎ」は、濃いえび茶色の箱に包装されている点で、パッケージは明らかに異なる。
【００１２】
群はまた、しばしば、ブランド、下位ブランド、並びに／あるいはラインアップにわたる形状及び／又は有益性の商標を含む、同じ商標を有する。
【００１３】
「オンライン群」とは、共通のオンラインソースによって分配された「群」を意味する。
【００１４】
肥満度指数（ＢＭＩ）は、身長と体重に基づく体形の分類システムである。ＢＭＩは、次のように計算することができる。
【００１５】
【数１】
0006363727.tif 000002
【００１６】
身長と体重を対比させたチャートに基づいてＢＭＩを決定するのも一般的である（例えば、図１を参照のこと）。この指標は、低体重（ＢＭＩ＜２０）、標準体重（ＢＭＩ２０〜２５）、過体重（ＢＭＩ  ２５〜３０）、肥満（ＢＭＩ  ３０〜４０）、及び病的肥満（ＢＭＩ＞４０）などの異なるクラスの肥満度を含む。
【００１７】
本明細書で使用する「冠状面」は、立位の女性の身体を貫通して、身体を前方部分と後方部分に分割する垂直面を表し、冠状面は、肩部及び膣口を通り、膣口を前方部分と後方部分に二等分する。
【００１８】
本明細書で使用する「矢状面」は、立位の着用者の身体を貫通して、立位の着用者の身体を左半分と右半分に二等分する平面を表す。
【００１９】
「大腿部の間隔」とは、大腿（大腿部１１００Ａ及び１１００Ｂの内側部分）の間の最も狭い横方向距離を意味し、大腿部を測定されている人は、足をほぼ肩幅に開いた状態の自然な姿勢である。この横方向距離は冠状面と平行になり、横断面上にある。横断面は冠状面と垂直であり、臀溝を通る（臀溝は多くの場合、臀部のしわ、又は臀溝の水平な臀部ひだと呼ばれる）。これは、図２に示されており、かつ図３に図２の平面Ｂ：Ｂとして示されている。
【００２０】
「大腿部偏心（Thigh Eccentricity）」は、図２の平面Ｂ：Ｂ（平面Ｂ：Ｂについては前述されている）における大腿部のおよその偏心である。以後、平面Ｂ：Ｂにおける大腿部断面の主軸が、身体の冠状面に垂直である場合に、大腿部偏心は負であると見なされる。大腿部の主軸は、図３に示す大腿部幅、又は大腿部長のいずれかのより大きな方である。
【００２１】
「大腿部」とは、大腿部と臀部の接合点における大腿部の周囲を意味し、測定は、大腿部の長軸に対して垂直に行われる。
【００２２】
先に述べたように、ＢＭＩは、男性及び女性の両方に関して世界的に上昇している。本発明者らは、ＢＭＩが上昇するにつれて女性の全体的な体形がどのように変化するのかを発見した。更に、現在市販されている成人用吸収性物品が、（ＢＭＩの低い着用者と比較して）ＢＭＩの高い着用者のための優れた保護をうまく提供できていないことを見出した。ＢＭＩが上昇して体形が変化すると、股部を通る恥部領域の形状／形態も変化することを発見した。図１Ａ、図１Ｂ、及び図１Ｃに示すように、ＢＭＩ及びパンティーサイズが大きくなるにつれて、メトリクスに関連するいくつかの性能、例えば、パンティーの汚れ及び身体に付着したままとなる流体（量及び被覆面積）の全てが増大する傾向にある。月経出血は身体サイズ及び体重と相関しないので、これら性能の機能停止（outage）の増大は、流体排泄物の増加によるものではない。それどころか、性能の機能停止は、生理用ナプキン内の負荷と無関係である（同量の流体がパッド内にある場合、大柄の女性は小柄な女性と比べて性能上不利となる）。しかしながら、消費者が尿失禁に悩まされる確率は、（年齢、出産回数、閉経、けがなどの他の要因の中でもとりわけ）ＢＭＩと関係があり得る。
【００２３】
今日の成人用吸収性物品は、本質的に製品によって表面積及び吸収力を変化させることによって、こうした性能の機能停止に対処しているとの議論もあり得る。例えば、その結果、今日の製品群内の大きなサイズは、本質的に、小さいサイズの尺度を大きくしたバージョンである（即ち、サイズのスケーリング、つまり、（図１５Ｂに示す）Ｌ１の増加、Ｗ１の増加、又はＬ１及びＷ１の両方の増加）。しかしながら、これらは、高いＢＭＩが原因である性能の機能停止に対処するための最良の方法ではないことが見出された。ＢＭＩの低い女性よりもＢＭＩの高い女性の方がこうした性能の機能停止を経験する割合がより多い理由の機構的理解が、ＢＭＩの高い個体群に同等の又はより良好な性能を提供するために必要な製品要件及び設計を確立する上で重要である。このＢＭＩの機構的理解の必要性は、これまで認識されてこなかった。
【００２４】
ＢＭＩが上昇するにつれて製品性能が低下する理由については、いくつかの機械論的な説明が存在する。例えば、ＢＭＩの高い女性では、脂肪が折り重なる／皮膚がひだとなる可能性がより高く、これらの重なり及びひだが流体を引き込んで（毛細管現象）、一旦引き込んだら閉じ込める可能性がある。加えて、ＢＭＩの高い女性では、大腿部間の間隔が狭くなる可能性が高く、特にパッドがパンティー内で存在する股部においてこれが当てはまる。間隔の縮小は、図２〜図４、並びに図５及び図６のチャートに示されている。ＢＭＩが増加すると、臀溝における大腿部間の間隔（以後、「大腿部（臀溝）間隔」）が減少する。加えて、図４、及び図６のチャートに示すように、ＢＭＩが増加すると、臀溝における大腿部の偏心が変化する。この変化により、半径が大きくなり（曲率が小さくなり）、（身体の冠状面に対して垂直な）大腿部軸が長くなる。更に、図７に示すように、（大腿部内側１１００Ａ及び１１００Ｂと胴体との交差部における）大腿部間の間隔（以下、大腿部（胴体）間隔）は、ＢＭＩが増加するにつれて減少する。大腿部（胴体）間隔の減少は、ＢＭＩが約３０に達するまで、ＢＭＩの増加とともに生じる。ＢＭＩ値が３０を超えると、大腿部（胴体）間隔はフラットになる。
【００２５】
図８Ａは、身体の前方部分から後方部分に向かって冠状面を見た場合の、冠状面上の近似領域１１３０Ａを示す。示されている近似領域１１３０Ａは、ＢＭＩの高い着用者（例えば３５）のものである。領域１１３０Ａは、身体胴体部１１２０と大腿部内側１１００Ａとの間の交差部１１１０Ａ、身体胴体部１１２０と大腿部内側１１００Ｂとの間の交差部１１１０Ｂ、及び臀溝を通って延在する横断面１１５０Ａによって画定される。図示のように、面積１１３０Ａは、逆台形で近似され得る。ＢＭＩが減少すると、交差部１１１０Ａ及び１１１０Ｂの角度が増加する。図８Ｂに、ＢＭＩの低い着用者（例えば１５）の近似領域１１３０Ｂを示す。図示のように、臀溝を通って延在する横断面１１５０Ｂは、図８Ａに比べて胴体１１２０にずっと近い。横断面１１５０Ａ及び１１５０Ｂは、パンティーと胴体との相対間隔を表す。図示のように、横断面１１５０Ｂは、横断面１１５０Ａに比べて胴体１１２０にずっと近い。したがって、近似領域１１３０Ｂ。
【００２６】
ＢＭＩが増加するにつれてこの領域は狭くなり、その結果、図９Ａ〜図９Ｃに示すように、パッドは大腿部間でＸ、Ｙ、及びＺ方向のうちの１つ以上の方向に圧縮され、それによって、パッドの最初の表面積に関わらず、身体表面への投影面積が減少する。図９Ａは、ＢＭＩ３４を有する消費者によって装着された、変形した婦人衛生パッド４１の平面図を示す。図９Ｂは、ＢＭＩ２４を有する消費者によって装着された、変形した婦人衛生パッド４２の平面図を示す。図９Ｃは、未装着の変形していない婦人衛生パッド４３の平面図を示す。パッドのそれぞれは、Ｘ方向の長さとＹ方向の幅とを有する。図示のように、Ｙ方向の幅は、パッドのそれぞれのＸ方向の長さに沿って変化する。更に、図９Ａ及び図９Ｂに示すように、Ｙ方向の幅は、Ｘ方向に沿ってＢＭＩの関数として変化する。即ち、ＢＭＩが増加するにつれて、変形が大きくなる（Ｙ方向の幅は特定の領域で減少する）。この変形は、最終的に、既に説明したように身体と接触して流体の広がりを防止するために利用可能なパッド表面積を低減させる。
【００２７】
新たな知見によると、図１０Ａ〜図１２Ｂに示すように、パンティー（及びこのパンティーに被着された成人用吸収性物品）の身体に面する表面と、膣口７２５の中心との間に、物理的な隙間（「パンティー−身体間隙」）が存在する。図の画像は、３Ｄスキャナ（例えばＡｒｔｅｃ  Ｇｒｏｕｐ製のＡｒｔｅｃ  ３Ｄスキャナ）を使用して実験の参加者をスキャンすることによって得た。ＢＭＩが標準の女性（ＢＭＩ  ２４）の身体／パンティー境界面と、ＢＭＩが高めの女性（ＢＭＩ  ３４）のそれとの比較を、図１０Ａ〜図１２Ｂに示す。図１０Ａに示すように、ＢＭＩ  ２４を有する着用者のパンティー７００は、身体７３０の輪郭に沿っており、膣口７２５近接している。小柄な女性では、パンティーの表面は外陰部領域全体にわたってぴったり一致している（例えば、図１０Ａ）。これに対して、大柄の女性では、パンティー７００は、外陰部領域及び膣口７２５を跨いでテント状になる傾向がある（例えば、図１０Ｂ）。そのため、ＢＭＩ  ３４の着用者では、パンティー７００は膣口から更に離れている。ＢＭＩ  ２４の着用者及びＢＭＩ  ３４の着用者に関する図１１Ａ及び図１１Ｂは、それぞれ、図１０Ａ及び図１０Ｂの説明を裏付けている。即ち、パンティー７００は、ＢＭＩ  ２４の着用者の方が、ＢＭＩ  ３４の着用者のパンティー７００よりも膣口７２５に近接している。図１２Ａ及び図１２Ｂは、ＢＭＩ  ２４の女性及びＢＭＩ  ３４の女性の下部骨盤領域底面図）の表面図形を示す。
【００２８】
ほとんどの女性用パッドは、使用する際に、着用者のパンティーに接着される。そのため、パンティーと膣口７２５との間のパンティー−身体間隙の存在は、同様のパッド−身体間隙を作り出す。そして、膣口７２５はパッドと接触していないことから、このことが性能の機能停止を引き起こす。密着性に欠けることから、経血及び尿は、吸収性物品又はパンティーのいずれかと接触するまで、身体に沿って流れる傾向がある（即ち、吸収性物品に向かって真っ直ぐ「滴下」しない）。この結果、図１Ａ〜図１Ｃに示すように、身体の汚れがひどくなり、衣類が汚れる可能性が高くなる。ＢＭＩがより高い女性では、パッドの長さに関わらず、パッドの上面は依然として膣口を跨いでテント状になるので、より厚いパッド及び／又はより長いパッドを使用するだけでは、この機能停止に対処したことにならない。
【００２９】
小柄な女性用のパッドに厚さを加え過ぎると、快適さに関する懸念が生まれる可能性があるので、万能サイズアプローチでは不十分である。しかしながら、厚さの薄いパッドは、上述したように、ＢＭＩの高い女性では、性能の機能停止の原因となり得る。本発明は、パンティー−身体間隙を埋めるように設計された特徴及び／又は形体を有し、それにより広がりを低減し、かつＢＭＩの低い女性に適合し得る成人用吸収性物品の群を形成することによって、この問題を解決する。また、様々なＢＭＩに適合する製品群が達成可能であり、群内の各製品は、異なるＢＭＩ範囲に合わせて設計される。
【００３０】
図１３Ａ及び図１３Ｂは、それぞれ、パンティー−身体間隙高さがＢＭＩの増加の関数として増加する様子、及びパンティー−身体間隙高さの累積度数を示す。パンティー−身体間隙高さに加えて、パンティー−身体間隙幅及びパンティー−身体間隙長さもまた、ＢＭＩの関数である。表１は、上記のそれぞれの関する範囲を提供する。全ての範囲のＢＭＩの着用者を調べたところ、パンティー−身体間隙の長さは約０ｃｍ〜約２５ｃｍ、幅は約１ｃｍ〜約４ｃｍ、及び高さは約０ｃｍ〜約３ｃｍであり得る。下の表１に示すように、パンティー−身体間隙容積の平均寸法は、全てＢＭＩ依存性である。容積の形状は、ＢＭＩが高くなるほど高くかつ狭くなる。例えば、ＢＭＩが標準の女性のパンティー−身体間隙容積は、ほぼゴルフボールのサイズであり得るが、病的肥満の女性のパンティー−身体間隙容積は、ほぼリンゴのサイズであり得る。このパンティー−身体間隙は、大半の市販のパンティーに存在する。しかしながら、トング、月経用ショーツ等は、パンティー−身体間隙容積を低減させることができることが知られている。
【００３１】
【表１】
0006363727.tif 000003
【００３２】
このパンティー−身体間隙を埋めることにより、吸収性物品と身体との間の接触を良好にすることができると考えられる。こうすることにより、広がり（皮膚上、パッド上）、汚れる可能性、又は漏れを低減させることができる。更に、こうすることにより、着用者の快適性及び安心感を向上させることができる。これを達成する１つの方法は、間隙の容積を埋める物理的特徴部を含む成人用吸収性物品を開発することである。
【００３３】
成人用吸収性物品群は、着用者のパンティー−身体間隙を埋める役割を果たす１つ以上の物理的特徴部を含むことができる。この物理的特徴部は、使い捨てであってもよく、あるいは再利用可能であってもよい。物理的特徴部は、成人用吸収性物品と一体的に製造されてもよく、成人用吸収性物品とは別にキットの一部として包装されてもよく、又は物理的特徴部は、あらゆる成人用吸収性物品とは別売されて、特定のタイプ又はブランドの成人用吸収性物品と協働するように設計されてもよく、あるいは更には、物理的特徴部は、成人用吸収性物品とは別売されて、あらゆるタイプ又はブランドの成人用吸収性物品と協働するように設計されてもよい（例えば、Ｕ  ｂｙ  Ｋｏｔｅｘ（登録商標）の生理用ナプキンを好む着用者は、パンティー−身体間隙の埋めるために、Ａｌｗａｙｓ（登録商標）の物理的特徴部を追加することができる）。
【００３４】
物理的特徴部は、一次吸収性コアから分離した付加的な吸収性コアの形態をとってもよく、又は物理的特徴部は、特定の領域が強化された一次コアであってもよい。気泡（例えば、フィルムに封入される）、発泡体インサート（例えば、接着剤を含んでもよい）、成人用吸収性物品の下又はパッドとパンティーとの間に配置することができる再利用可能なパック、弾性体、折り畳み部（例えば、中央部を跨いで長手方向軸線に沿ってテント状になる）、ポップアップ部（例えば、バックシートからトップシートに向かって）、又は他の機構を含む、更なる他の実施形態が想定される。
【００３５】
物理的特徴部は、物理的特徴部を特定の着用者のＢＭＩ及び／又はパンティー−間隙容積にとって適切なものにする１つ以上の特性を含んでもよい。例えば、設置面積、身体と接触する表面積、高さ、幅、長さ、厚さ、構成材料、形状、流体処理特性、透過性、疎水性、色信号、捕捉速度、圧縮性、回復性。これらの全ては、物理的特徴部自体に関連していてもよく、又は吸収性物品の残りの部分に照らして物理的特徴部に関連していてもよい。更に、物理的特徴部は、異なる時点において異なる特性を有してもよく、例えば、特徴部は、包装時の第１の高さと、使用時の第２の高さを有してもよい。こうした特性は、使用する前に着用者が作動又は変化させてもよく、例えば、成人用吸収性物品が実質的に平坦な姿勢で包装される場合には、増大した厚さを有するように操作され得る。構成体の材料は、当該技術分野において既知である任意の好適な吸収性材料を含み得る。いくつかの好適な例としては、高内相エマルション、パルプ、吸収性ゲル化材料、超吸収性材料、これらの任意の組み合わせ、又は以下に開示される材料のいずれかなどが挙げられる。物理的特徴部の側面は、真っ直ぐ又はテーパ形状であり得る。物理的特徴部の頂面は、平坦、曲線状、凸状、凹状等であり得る。物理的特徴部の設置面積は、円形、楕円形、涙形、三角形等であり得る。
【００３６】
本明細書に開示される成人用吸収性物品群は、同じ会社によって、同じ製品製造ライン上で又は異なる製品製造ライン上で製造されることができる。本明細書に開示される成人用吸収性物品は、同じブランド（例えば、Ｄｅｐｅｎｄｓ、Ａｌｗａｙｓ）及び／又は同じサブブランド名（例えば、Ｓｉｌｈｏｕｅｔｔｅ、Ｒａｄｉａｎｔ）の群で販売されてもよい。
【００３７】
第１のパッド９１０、第２のパッド９５０、及び第３のパッド９９０を含む例示的な成人用吸収性物品群が、図１４Ａ（平面図）及び図１４Ｂ（斜視図）に示されている。この群のパッドは、スモール、ミディアム、及びラージのオプションに関して「サイズＳ」、「サイズＭ」、及び「サイズＬ」と分類されている。これは、製品が着用者のＢＭＩに基づいてカスタマイズされていることを着用者に伝えるための１つの方法である。例えば、スモールサイズは、約２５を下回るＢＭＩを有する着用者対象としていてもよく、ミディアムサイズは、約２５〜３０のＢＭＩを有する着用者対象としていてもよく、ラージサイズは、約３０超のＢＭＩを有する着用者対象としていてもよい。別の実施形態では、群は、４０超のＢＭＩを有する着用者を対象とした第４のサイズであるエクストララージ（「ＸＬ」）を含んでもよい。
【００３８】
図示のように、第１のパッド９１０は、パンティー−身体間隙に対処し、かつＢＭＩの低い着用者を対象としている第１の物理的特徴部９１５を含むことができる。第２のパッド９５０は、第１のパッド９１０が対象とする着用者のＢＭＩよりも高いＢＭＩを有する着用者のパンティー−身体間隙に対処する第２の物理的特徴部９５５を含むことができる。第３のパッド９９０は、第１のパッド９１０及び第２のパッド９５０が対象とする着用者のＢＭＩよりも高いＢＭＩを有する着用者のパンティー−身体間隙に対処する第３の物理的特徴部９９５を含むことができる。
【００３９】
第１の物理的特徴部９１５、第２の物理的特徴部９５５、及び第３の物理的特徴部９９５は、使用する際に物理的特徴部のそれぞれが膣口と整列するように、それらの対応のパッド上に位置付けられることができる。更に、第１の物理的特徴部９１５、第２の物理的特徴部９５５、及び第３の物理的特徴部９９５は、異なっていてもよい。高さ（図１５ＣのコールアウトＨ２参照）、長さ（図１５ＣのコールアウトＬ２参照）、及び／又は幅（図１５ＢのコールアウトＷ２参照）に関し、第３の物理的特徴部９９５は、第２の物理的特徴部９５５の高さ、長さ、及び／又は幅よりも大きな高さ、長さ、及び／又は幅を有してもよい。同様に、第２の物理的特徴部９５５は、第１の物理的特徴部９１５の高さ、長さ、及び／又は幅よりも大きな高さ、長さ、及び／又は幅を有してもよい。更に実行形態によっては、第３の物理的特徴部９９５は、第２の物理的特徴部９５５の高さよりも大きい高さを有するが、第２の物理的特徴部９５５の長さ及び幅以下の長さ及び／又は幅を有する。同様に、実行形態によっては、第２の物理的特徴部９５５は、第１の物理的特徴部９１５の高さよりも大きい高さを有するが、第１の物理的特徴部９１５の長さ及び幅以下の長さ及び／又は幅を有する。更に、第２のパッド９５０及び第３のパッド９９５は本明細書に記載される物理的特徴部を有するが、第１のパッド９１０は、対象となる着用者のＢＭＩに必要でない可能性があるので物理的特徴部９１５を有さない実施形態が企図される。したがって、本発明は、群の中の２つ以上の製品が、パンティー−身体間隙を埋めるように設計された特徴部を有する群を想定している。これは共通の特徴部であってもよく、又は群は２つ以上異なる特徴部を含んでもよい（即ち、対象となる着用者のパンティー−身体間隙を埋めるために最も都合が良ければどのようであってもよい）。
【００４０】
図２０は、各ＢＭＩクラスに存在し得る種々の具体的な体形、即ち、矩形型、砂時計型、洋ナシ型、及びリンゴ型の体形を示す。ＢＭＩが高いほど、女性は通常、この体形スケールで更に右側となる。こうした体形の出現率はＢＭＩ範囲によって異なり、例えば、ＢＭＩの高い女性は、リンゴ型又は洋ナシ型となる可能性が高い。着用者と、該着用者のパンティー−身体間隙を最も良く埋める物品とをマッチさせるために、成人用吸収性物品は、（消費者に不快感を起こさせる可能性のある）正確なＢＭＩ値に焦点を合わせるのではなく、リンゴ型などの特定の体形を有する女性に対して販売されてもよい。
【００４１】
上述したように、物理的特徴部は、標的とするＢＭＩ範囲に合わせて特徴部を調整する特性を備えている。図１４Ａ及び図１４Ｂの群は、目的を達するために必須である（strategic）厚みを物理的特徴部の特性として利用し、成人用吸収性物品の総設置面積のうちの特定領域のみにｚ方向の構成要素を加え、このｚ方向の物理的特徴部の高さは、標的ＢＭＩ範囲が増大するにつれて高くなる。
【００４２】
パッド１１００の形態の例示的な成人用吸収性物品を図１５Ａに示す。パッドの上面視概略図を図１５Ｂに示す。図１５Ｂの線１５Ｃ−１５Ｃで切断したパッド１１００の断面を、図１５Ｃに示す。パッド１１００は、トップシート１１０５と、反対側のバックシート１１２５と、それらの間に配設された第１の吸収性コア１１３５とを有して示されている。吸収性コア１１３５は、以後本明細書中で論じる１つ以上の層を含んでもよい。図示のように、いくつかの実施形態では、パッド１１００は、第１の吸収性コア１１３５と、いくつかの実施形態では第２の吸収性コアであってもよい物理的特徴部１１４５とを含む。第１の吸収性コア１１３５は、長さＬ１、幅Ｗ１、及び高さＨ１を有する。いくつかの実施形態では、吸収性物品は非常に薄く（Ｈ１）、例えば、物理的特徴部（１つ又は複数）１１４５（例えば第２の吸収性コア）を除く領域の厚さは、０．５〜５ミリメートル、１〜４ミリメートル、又は１．５〜３．５ミリメートルである。物理的特徴部１１４５は、長さＬ２、幅Ｗ２、及び高さＨ２を有する。
【００４３】
図１５Ａ、図１５Ｂ、及び図１５Ｃは、表２に開示されているいくつかの考えられる群の組み合わせのうちの１つの群の一実施形態を示しており、更なる組み合わせが想定される。寸法Ｗ１は、股部の中心においてパッドがパンティーの中心に接着される位置の、パッドの最も狭い部分で測定される（両脚の間の最も狭い横方向間隔）。
【００４４】
【表２】
0006363727.tif 000004
【００４５】
ＢＭＩが増加するとパンティー−身体間隙高さが増加するので、サイズが大きくなるとＨ２が増加する。ＢＭＩが増加するとパンティー表面における両脚の間の間隔が減少するので、サイズが大きくなるとＷ１が減少する（図３〜図５参照）。ＢＭＩが増加するとパンティー−身体間隙容積の幅が減少するので、サイズが大きくなるとＷ２が減少する。
【００４６】
製品群が、多様なＢＭＩの着用者に適合するように複数のサイズを含む、いくつかの実施形態が企図される。例えば、群は、２５以下のＢＭＩを有する着用者のための第１のサイズ、約２５〜３０のＢＭＩを有する着用者のための第２のサイズ、約３０〜４０のＢＭＩを有する着用者のための第３のサイズ、及び４０超のＢＭＩを有する着用者のための第４のサイズを含むことができる。図１４Ａ及び図１４Ｂで記載した物理的特徴部は、様々な長さ（図１５Ｃに示すＬ２）、幅（図１５Ｂに示すＷ２）、及び／又は高さ（図１５Ｃに示すＨ２）を有することができる。構成よっては、第１のサイズは物理的特徴部を有さなくてもよく、第２のサイズ、第３のサイズ、及び第４のサイズは物理的特徴部を含んでもよい。そのような群では、物理的特徴部の高さの、第２のサイズに対する第３のサイズの比は、約５：１〜約１．３：１であり得る。更に、そのような構成では、第３のサイズの物理的特徴部と第４のサイズの物理的特徴部との間の高さの比は、約２：１〜約１．３：１であり得る。そのような群では、第１のサイズは物理的特徴部を含んでいてもよい。そのような構成では、第３のサイズと第２のサイズとの間、及び第４のサイズと第３のサイズとの間の上記比に加えて、物理的特徴部の高さの、第１のサイズに対する第２のサイズの比は、約１０：１〜約１．５：１であり得る。
【００４７】
物理的特徴部の長さの、第２のサイズに対する第３のサイズの比は、約２．５：１〜約１．２５：１であり得る。物理的特徴部の長さの、第３のサイズに対する第４のサイズの比は、約２：１〜約１：１であり得る。また、第１のサイズが物理的特徴部を含む群では、物理的特徴部の長さの、第１のサイズに対する第２のサイズの比は、約２：１〜約１．２５：１であり得る。
【００４８】
物理的特徴部の幅の、第３のサイズに対する第２のサイズの比は、約１：１〜約５：３であり得る。物理的特徴部の幅の、第４のサイズに対する第３のサイズの比は、約１：１であり得る。また、第１のサイズが物理的特徴部を含む群では、物理的特徴部の幅の、第２のサイズに対する第１のサイズの比は、約３：２〜約６：５であり得る。
【００４９】
物理的特徴部の容積の、第３のサイズに対する第４のサイズの比は、約３：１〜約５：４であり得る。物理的特徴部の容積の、第２のサイズに対する第３のサイズの比は、約５：１〜約６：５であり得る。また、第１のサイズが物理的特徴部を含む群では、物理的特徴部の容積の、第１のサイズに対する第２のサイズの比は、約１：１〜約３：１であり得る。
【００５０】
４つのサイズを含む上記の群は、物理的特徴部の高さ、長さ、幅、及び／又は容積を変化させることができる。
【００５１】
５つのサイズを提供する群も企図される。例えば、群は、２０以下のＢＭＩを有する着用者のための第１のサイズ、約２０〜２５のＢＭＩを有する着用者のための第２のサイズ、約２５〜３０のＢＭＩを有する着用者のための第３のサイズ、３０〜４０のＢＭＩを有する着用者のための第４のサイズ、及び４０超のＢＭＩを有する着用者のための第５のサイズを含むことができる。上記と同様に、構成よっては、第１のサイズは物理的特徴部を有さなくてもよく、第２のサイズ、第３のサイズ、第４のサイズ、及び第５のサイズは物理的特徴部を含んでもよい。そのような群では、物理的特徴部の高さの、第２のサイズに対する第３のサイズの比は、約１：１〜約３：２であり得る。第４のサイズと第３のサイズとの間の物理的特徴部の高さの比は、約５：１〜約４：３であり得る。そのような群では、第１のサイズは物理的特徴部を含んでいてもよい。物理的特徴部の高さの、第４のサイズに対する第５のサイズの比は、約２：１〜約３：２であり得る。そのような構成では、第３のサイズと第２のサイズとの間、及び第４のサイズと第３のサイズとの間の上記比に加えて、物理的特徴部の高さの、第１のサイズに対する第２のサイズの比は、約１：１〜約２：１であり得る。
【００５２】
物理的特徴部の長さの、第２のサイズに対する第３のサイズの比は、約２：１〜約４：３であり得る。物理的特徴部の長さの、第３のサイズに対する第４のサイズの比は、約２．５：１〜約１．２５：１であり得る。物理的特徴部の長さの、第４のサイズに対する第５のサイズの比は、約２：１〜約１：１であり得る。また、第１のサイズが物理的特徴部を含む群では、物理的特徴部の長さの、第１のサイズに対する第２のサイズの比は、約１：１〜約１．５：１であり得る。
【００５３】
物理的特徴部の幅の、第３のサイズに対する第２のサイズの比は、約１．５：１〜約１．２：１であり得る。物理的特徴部の幅の、第４のサイズに対する第３のサイズの比は、約１：１〜約１．６：１であり得る。物理的特徴部の幅の、第５のサイズに対する第４のサイズの比は、約１：１であり得る。また、第１のサイズが物理的特徴部を含む群では、物理的特徴部の幅の、第２のサイズに対する第１のサイズの比は、約１：１〜約７：６であり得る。
【００５４】
物理的特徴部の容積の、第２のサイズに対する第３のサイズの比は、約１：１〜約１．３：１であり得る。物理的特徴部の容積の、第３のサイズに対する第４のサイズの比は、約５：１〜約６：５であり得る。物理的特徴部の容積の、第４のサイズに対する第５のサイズの比は、約３：１〜約１．２５：１であり得る。また、第１のサイズが物理的特徴部を含む群では、物理的特徴部の容積の、第１のサイズに対する第２のサイズの比は、約１：１〜約２．５：１であり得る。
【００５５】
３つのサイズを提供する群も企図される。例えば、群は、２５以下のＢＭＩを有する着用者のための第１のサイズ、約２５〜４０のＢＭＩを有する着用者のための第２のサイズ、及び４０超のＢＭＩを有する着用者のための第３のサイズを含むことができる。上記と同様に、群よっては、第１のサイズは物理的特徴部を有さなくてもよく、第２のサイズ及び第３のサイズは物理的特徴部を含んでもよい。そのような群では、物理的特徴部の高さの、第２のサイズに対する第３のサイズの比は、約１０：１〜約２：１であり得る。そのような群では、第１のサイズは物理的特徴部を含んでいてもよい。そのような構成では、第３のサイズと第２のサイズとの間の上記比に加えて、物理的特徴部の高さの、第１のサイズに対する第２のサイズの比は、約５：１〜約４：１であり得る。
【００５６】
物理的特徴部の長さの、第２のサイズに対する第３のサイズの比は、約５：１〜約１．２５：１であり得る。また、第１のサイズが物理的特徴部を含む群では、物理的特徴部の長さの、第１のサイズに対する第２のサイズの比は、約５：１〜約２．５：１であり得る。
【００５７】
物理的特徴部の幅の、第３のサイズに対する第２のサイズの比は、約１．５：１〜約２：１であり得る。また、第１のサイズが物理的特徴部を含む群では、物理的特徴部の幅の、第２のサイズに対する第１のサイズの比は、約１．５：１〜約２．３：１であり得る。
【００５８】
物理的特徴部の容積の、第２のサイズに対する第３のサイズの比は、約１５：１〜約１．５：１であり得る。また、第１のサイズが物理的特徴部を含む群では、物理的特徴部の容積の、第１のサイズに対する第２のサイズの比は、約５：１〜約４：１であり得る。
【００５９】
更にいくつかの実行形態では、本明細書に記載される物理的特徴部は、約２５０：１、２００：１、１５０：１、１００：１、５０：１、又は２５：１である高さに対する長さの比を含み得る。同様に、本明細書に記載される物理的特徴部は、約７０：１、６０：１、５０：１、２５：１、１０：１、６：１、又は５：１である高さに対する幅の比を含み得る。
【００６０】
より大きいＢＭＩの着用者に関連付けられたサイズの物理的特徴部の高さが、ＢＭＩの増加に伴って増加し、物理的特徴部の幅が、ＢＭＩの増加に伴って減少する実施形態が企図される。また、一次コアの幅（図１５Ｂに示すＷ１）が、ＢＭＩの増加に伴って減少する実施形態が企図される。例えば、２４より大きいＢＭＩに関連付けられたサイズの女性用ケア物品は、２４未満のＢＭＩに関連付けられたサイズの女性用ケア物品の幅よりも小さい幅（Ｗ１）を有してもよい。３０超、３４超、４０超、４５超のＢＭＩに関連付けられたサイズに関しても、同様の構成とすることができる。
【００６１】
物理的特徴部を含む女性用ケア物品の更なる例示的実施形態を図１６Ａ〜図１９Ｂに示す。これらの図において、第１の吸収性コア１１３５は、成人用吸収性物品の一次コアである。図１６Ａは、物理的特徴部１２５５を含む成人用吸収性物品１２００の更なる例示的実施形態である。図１６Ｂは、図１６Ａにおける線Ａ−Ａに沿った物品１２００の断面図である。物理的特徴部１２５５は、物品１２００と一体になったコアである。物理的特徴部１２５５はトップシート１２０５で覆われており、かつ吸収性材料を含む。吸収性材料は、例えば粉砕木材パルプ、捲縮セルロース塊、化学的に剛化、改質、又は架橋されたセルロース繊維（本明細書ではこれらは全て「エアフェルト」と呼ばれる）のような、液体吸収性材料（例えば隙間のある幾分フワッとした構造を提供する柔軟な材料など）を指す。吸収性材料はまた、超吸収性ポリマー材料（ＳＡＰ）、例えば、高吸収性ポリマー、繊維又は発泡体など、及び超吸収性ポリマー材料とエアフェルトの混合物を指す。
【００６２】
図１７Ａは、物理的特徴部１３５５を含む成人用吸収性物品１３００の更なる例示的実施形態である。図１７Ｂは、図１７Ａにおける線Ａ−Ａに沿った物品１３００の断面図である。物理的特徴部１３５５は、物品に取り付け、かつ物品から取り外すことが可能な別個の構造体である。任意の好適な取付機構を利用することができる。いくつかの好適な例としては、接着剤又はフックループ構造体（例えば、ベルクロ）挙げられる。しかしながら、そのような構成では、物理的特徴部１３５５は、漏れの可能性を低減するために、第１の吸収性コア１１３５との十分な液体連通を維持しなければならない。
【００６３】
図１８Ａは、物理的特徴部１４５５を含む成人用吸収性物品１４００の更なる例示的実施形態である。図１４Ｂは、図１８Ａにおける線Ａ−Ａに沿った物品１４００の断面図である。物理的特徴部１４５５は、弾性体、好ましくは、トップシート１４０５の下に長手方向に延在する、予め伸長されている弾性ストランドである。弾性体は、使用中にトップシート１４０５をテント状にして、膣口とぴったり一致させるようにする。トップシートと吸収性コアとの間に連続経路を作り出して、流体をトップシート１４０５通して吸収性コア１１３５まで移送するために、ウィッキング部材１４１５が存在してもよい（例えば、吸収性材料）。ウィッキング部材１４１５は、任意の好適な方法（例えば接着剤又は熱接着）によって、トップシート１４０５の下面に接着されてもよい。ウィッキング部材１４１５はまた、接着剤又は熱接着によって吸収性コア１１３５に接着されてもよい。．１４３５．
【００６４】
図１９Ａは、物理的特徴部１５５５を含む成人用吸収性物品１５００の更なる例示的実施形態である。図１９Ｂは、図１９Ａにおける線Ａ−Ａに沿った物品の断面図である。物理的特徴部１５５５は、物品１５００と一体の封入された気泡である。封止されたフィルムポケットの中にあるのは空気であり、いくつかの実施形態では、フィルムポケットは吸収性材料及びトップシート１５０５で覆われていてもよい。任意の好適な吸収性材料を使用することができる。
【００６５】
試験方法
本明細書に記載される物理的特徴部の特性を知る上での手掛かりとなり得る試験方法は多く存在する。全ての測定は、２２℃＋／−２°及び５０％ＲＨ＋／−２０％で行われる。サンプルは、試験前に、同じ条件下で少なくとも２時間調整される。線長測定は、ＮＩＳＴ又は他の標準機関に帰する装置によって行われる。以下の各測定は、１０の別個の同様の標本に対して行われ、これら１０の別個の同様の標本の平均を、その特定の標本セットの測定値と見なす。
１．厚さ（Ｈ１及びＨ２のｚ方向の厚さ）は、デジタル手動布地厚さ測定装置（Digital Manual Fabric Thick Measuring equipment）（例えば、Ｇｅｓｔｅｒ  ＹＧ１４１Ｎ）、又は他の高さ測定装置（例えば、Ｔｏｒｍａｃｈ  Ｔｏｏｌ  ＰＮ  ３１９８８）を使用して測定する。Ｈ１の厚さは、Ｈ１だけが装置内に捕捉されるようにパッドを装置に挿入することによって測定する。測定装置の台座とサンプルとの接触が視認できるまで、台座をサンプルと接触させなければならない。台座がサンプルに接触した後、台座に更なる圧力を加えてはならない。Ｈ２は、Ｈ１及びＨ２の両方が捕捉されるようにパッドを装置に入れることによって測定する。Ｈ１及びＨ２を合わせた厚さを測定し、Ｈ１の厚さを引くことによってＨ２を決定する。全ての測定は、加圧せずに行う。
２．各製品を弛緩した状態で平らに置き、定規を使って寸法（Ｗ１、Ｗ２、Ｌ１、Ｌ２）を測定する。
【００６６】
物品を一時的に下着に取り付けるために、下着の中に装着されることが意図されたパッドは、接着剤などの固定手段を使用することができる。接着領域の形状は全体を覆ってもよく、又は、全体を覆う代わりに、長手方向に向けられている１つ又は２つ以上の接着剤ストリップであってもよい。その際、接着剤ストリップは、連続的であっても断続的であってもよい。例えば、長手方向に向けられている２本のストリップが、長手方向軸の両側に１本ずつ適用されてもよい。接着剤は、ダイレクトスロットコーティング適用プロセス（direct slot coating application process）によって、又は非接触プロセスによって適用されてもよい。バックシート上に設置され、フックループ式ファスナーと同じように、一部の下着に存在する繊維に取り付けられるように設計された微細フックなどの、機械的接着手段を設けることも可能である。
【００６７】
トップシートは、典型的には、着用者の身体に向けられ、かつ接触する成人用吸収性物品の層であり、したがって身体排泄物を受容する最初の層である。トップシートは、通常は単一の層でできているが、複数の層（例えば、国際公開第９３／０９７４４号又は欧州特許第７６６，９５３号において開示されているように、中央のトップシート層及び２つの重なり合う横ストライプ）を含むことが可能である。トップシートは通常、液体透過性である。本明細書で使用するとき、「液体透過性」という用語は、液体の透過を大きく遅らせるか又は妨げることなく液体を通過させる構成要素のことを指す。
【００６８】
想定されることとして、任意の従来のトップシート材料が本発明において使用されてよい。好適なトップシートは、例えば不織布材、又は穿孔ポリオレフィンフィルムで構成されてよい。本明細書に用いるのに好適な例示的なトップシートは、シースコアタイプ（ＰＰ／ＰＥ）のバイコンポーネント繊維を含んだ、比較的疎水性の２０ｇｓｍのスパンボンド不織布ウェブである。
【００６９】
所望により、トップシートは、下にある吸収性コアへの液体浸透性を向上させるために、界面活性剤で処理されてもよい。界面活性剤は、典型的には、非イオン性であり、皮膚に対して非刺激性でなければならない。トップシートの領域１平方センチメートル当たり約０．０１ミリグラムの界面活性剤濃度が、通常は好適である。例示的な界面活性剤が、Ｇｌｙｃｏ  Ｃｈｅｍｉｃａｌ，Ｉｎｃ．（Ｇｒｅｅｎｗｉｃｈ，Ｃｏｎｎｅｃｔｉｃｕｔ）によってＰｅｇｏｓｐｅｒｓｅ  ２００ＭＬとして販売されている。トップシートは、その上に沈積した液体を吸収性コアへより迅速に通過させるために、複数の開口又は他の構造体を有してもよい。
【００７０】
バックシートの一般的な機能は、コアによって吸収された排泄物が生理用ナプキンから漏れ出し、着用者又は着用者の衣服を汚すのを防止することである。バックシートは、任意の好適な材料、即ち、具体的には、任意の標準的なバックシート材料で作製することができる。これらの材料は一般に、可撓性であり、耐液性があり、かつ液体不透過性である。例示的なバックシート材料としては、ポリオレフィンフィルム又は不織布ウェブが挙げられるが、これらに限定されない。不織布ウェブは、通常は物品の通気性を良好にするため有利となることがあり、ポリオレフィンフィルムよりも廉価となり得る。例えば、２デニールのポリプロピレン繊維でできた比較的疎水性の１８グラム毎平方メートル（ｇｓｍ）のスパンボンド不織布ウェブが使用されてもよい。当該技術分野において既知であるように、バックシートは積層体であってもよい。
【００７１】
トップシート及びバックシートは、熱エンボス加工及び超音波ボンディングなどの既知の技術を用いて、周辺部において接合される。これらの層はまた、互いに接着剤で接着されてもよい。これら２つの層が物品の外側周辺部を形成した状態で、トップシートはバックシートと隣接することができる。成人用吸収性物品は、付着ウィング、一体型ウィングを含んでもよく、又はウィング含まなくてもよい。
【００７２】
本発明によって企図される成人用吸収性物品は、トップシートとバックシートとの間に配設された吸収性コアを更に備える。本明細書で使用されるとき、「吸収性コア」という用語は、尿、血液、経血、及び／又は他の身体排出物などの流体を吸収、分配、及び格納するのに好適な材料又は材料の組み合わせを指す。吸収性コアは、トップシート及びバックシートに固着されてもよく、又は固着されなくてもよい。
【００７３】
吸収性コアは、任意の好適な材料で作製することができる。好適な液体吸収性材料の非限定的な例としては、粉砕木材パルプ（一般的にエアフェルトと呼ばれる）；捲縮セルロース塊；ヒドロゲル形成性ポリマーゲル化剤のような超吸収性ポリマーなどの吸収性ゲル材料；化学的に強化、改質、又は架橋されたセルロース繊維；コフォーム（co-form）を含むメルトブローンポリマー；捲縮ポリエステル繊維などの合成繊維；薄紙の包装紙及びティッシュラミネートなどの薄紙；毛管路繊維；吸収性発泡体；ＨＩＰＥ；吸収性スポンジ；合成ステープルファイバー；ピートモス；若しくは等価材料；又はこれらの組み合わせが挙げられる。吸収性コアは、例えば吸収性コアの厚さを減じる目的で、通常はセルロース繊維の母材内に分配される超吸収性ポリマー（ＳＡＰ）を含んでもよい。
【００７４】
吸収性コアは一体型であってもよく、又は２つ以上の層の積層体であってもよい。例えば、コアは、吸収性コアによって保持された液体がパンティーライナーを通り抜けて隣接する衣類を汚すのを防止するために、バックシートに面する側面上に液体不浸透性のバリア層（例えば、ＰＥパッチ）を含んでもよい。例示的なＰＥパッチは、Ｂｒｉｔｔｏｎ  Ｔａｃｏ（ＵＫ）からＳＴ−０１２Ａ−Ｗｈｉｔｅの商標名で入手可能な２５ｇｓｍのポリフィルムである。吸収性コアに関する更なる一般情報は、先行特許公報に見出すことができる（例えば、ＰＣＴ国際公開第０２０７６６２（Ａ１）号及び同第９１１９４７１号を参照のこと）。
【００７５】
成人用吸収性物品は、折り畳まれていない状態で、任意の個別の包装紙機能なしで包装されてもよい。本発明の代替実施形態では、物品は、折り畳まれてもよく（例えば、２つ折り又は３つ折り）及び／又は個別の包装紙に包装されてもよい。そのような二次パッケージは当業者に既知であり、可撓性高分子フィルム又は不織布から作製することができる。こうした個別の包装紙は、汚れた吸収性物品を処分するのを容易にすることができるパウチのような、様々な形状を取ることができる。更に他の実施形態では、物理的特徴部は、成人用吸収性物品と別に包装されてもよく、例えば、追加のコアの箱を生理用ナプキンと一緒に販売してもよく、その場合、ユーザーは、追加のコアを生理用ナプキンの上に配置して、パンティー−身体フィットをカスタマイズするように指示される。
【００７６】
本明細書で開示する寸法及び値は、列挙された正確な数値に厳密に限られるとして理解されるべきではない。むしろ、特に断らない限り、そのような各寸法は、記載された値及びその値の周辺の機能的に同等の範囲の両方を意味するものとする。例えば、「４０ｍｍ」として開示される寸法は、「約４０ｍｍ」を意味することを意図する。
【００７７】
相互参照される又は関連する全ての特許又は特許出願、及び本願が優先権又はその利益を主張する任意の特許出願又は特許を含む、本願に引用される全ての文書は、除外すること又は限定することを明言しない限りにおいて、参照によりその全容にわたって本願に援用するものである。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、本文書における用語のいずれかの意味又は定義が、援用文献における同一の用語のいずれかの意味又は定義と矛盾する場合には、本文書においてその用語に与えられた意味又は定義が優先するものとする。
【００７８】
本発明の特定の実施形態を図示し、説明したが、本発明の趣旨及び範囲から逸脱することなく他の様々な変更及び改変を行い得ることは当業者には自明であろう。したがって、本発明の範囲内にあるこうした変更及び改変の全てを、添付の特許請求の範囲において網羅するものとする。
【図１Ａ】
0006363727.tif 000005
【図１Ｂ】
0006363727.tif 000006
【図１Ｃ】
0006363727.tif 000007
【図２】
0006363727.tif 000008
【図３】
0006363727.tif 000009
【図４】
0006363727.tif 000010
【図５】
0006363727.tif 000011
【図６】
0006363727.tif 000012
【図８Ａ】
0006363727.tif 000013
【図８Ｂ】
0006363727.tif 000014
【図９】
0006363727.tif 000015
【図９Ａ】
0006363727.tif 000016
【図９Ｂ】
0006363727.tif 000017
【図９Ｃ】
0006363727.tif 000018
【図１０Ａ】
0006363727.tif 000019
【図１０Ｂ】
0006363727.tif 000020
【図１１Ａ】
0006363727.tif 000021
【図１１Ｂ】
0006363727.tif 000022
【図１２Ａ】
0006363727.tif 000023
【図１２Ｂ】
0006363727.tif 000024
【図１３Ａ】
0006363727.tif 000025
【図１３Ｂ】
0006363727.tif 000026
【図１４Ａ】
0006363727.tif 000027
【図１４Ｂ】
0006363727.tif 000028
【図１５Ａ】
0006363727.tif 000029
【図１５Ｂ】
0006363727.tif 000030
【図１５Ｃ】
0006363727.tif 000031
【図１６Ａ】
0006363727.tif 000032
【図１６Ｂ】
0006363727.tif 000033
【図１７Ａ】
0006363727.tif 000034
【図１７Ｂ】
0006363727.tif 000035
【図１８Ａ】
0006363727.tif 000036
【図１８Ｂ】
0006363727.tif 000037
【図１９Ａ】
0006363727.tif 000038
【図１９Ｂ】
0006363727.tif 000039
【図２０】
0006363727.tif 000040